(57)【要約】【課題】無線性能の低下を防止して、無線性能のばらつきを少なくすることができる計測機器を提供する。【解決手段】ガスメータ１は、ケース２と、ケース２に収容され、外部と無線通信をする垂直アンテナ３１が設けられているプリント基板３と、筐体に収容されている遮断弁５とプリント基板３とを電気的に接続するハーネス７と、ハーネス７が垂直アンテナ３１と所定以上離れて配線されるようハーネス７の筐体内における位置を規制する規制部４１と、を有している。【選択図】図１
2019215706.tif 000002
【特許請求の範囲】
【請求項１】
筐体と、
前記筐体に収容され、外部と無線通信をするアンテナと、
前記筐体に収容されている部品同士を電気的に接続する電線と、
前記電線が前記アンテナと所定以上離れて配索されるよう前記電線の前記筐体内における位置を規制する規制部材と、
を有することを特徴とする計測機器。
【請求項２】
前記アンテナを配置した基板と、
前記基板が重ねられて当該基板とともに前記筐体２に固定される固定部材と、を備え、
前記規制部材は、前記固定部材と一体的に構成されている、
ことを特徴とする請求項１に記載の計測機器。
【請求項３】
前記規制部材は、前記固定部材の縁部のうち、前記固定部材に前記基板が重ねられた際に前記アンテナと対応する位置に設けられていることを特徴とする請求項２に記載の計測機器。
【請求項４】
前記電線は、一方の端部が前記基板３に設けられたコネクタと接続され、
前記規制部材は、前記コネクタに接続された前記電線の向きを特定の方向に規制する突起部が設けられていることを特徴とする請求項２または３に記載の計測機器。
【請求項５】
前記規制部材は、前記基板の部品が配置されている面と垂直な方向に延在するリブ部が設けられていることを特徴とする請求項２から４のうちいずれか一項に記載の計測機器。
【発明の詳細な説明】
【技術分野】
【０００１】
本発明は、ガスメータ等の所定の対象物を計測する計測機器に関する。
【背景技術】
【０００２】
ガスメータ等の計測機器において、検針情報を無線通信にて送信する無線通信機能を備えたものが知られている。このような無線通信機能を備えたガスメータにおいては、無線通信機能をガスメータ内部に有する構成のものがある（例えば特許文献１を参照）。
【先行技術文献】
【特許文献】
【０００３】
【特許文献１】特開平１１−１１２２２３号公報
【発明の概要】
【発明が解決しようとする課題】
【０００４】
無線機能をガスメータ内部に有する構成とした場合、無線用のアンテナがガスメータ筐体内部に配置されることとなる。一方、ガスメータには、保安上必要な遮断弁や圧力センサといった部品が筐体内に設けられており、これらの部品は、ハーネス（電線）を介してコントローラ等が実装された基板等と電気的に接続される。そのため、ガスメータの組立工程において、ハーネスがアンテナの近傍に位置づけられる場合が生じる。
【０００５】
ハーネスがアンテナの近傍に位置づけられると、ハーネスがアンテナの特性に影響を及ぼし、ガスメータの無線性能を低下させてしまうことがある。また、ハーネスがアンテナの近傍に位置づけられるか否かでガスメータの無線性能にばらつきが生じ、検査コストが増加してしまうという問題もある。
【０００６】
そこで、本発明は、上記のような問題点に鑑み、無線性能の低下を防止し、さらに無線性能のばらつきを少なくすることができる計測機器を提供することを課題とする。
【課題を解決するための手段】
【０００７】
上記課題を解決するためになされた発明は、筐体と、前記筐体に収容され、外部と無線通信をするアンテナと、前記筐体に収容されている部品同士を電気的に接続する電線と、前記電線が前記アンテナと所定以上離れて配索されるよう前記電線の前記筐体内における位置を規制する規制部材と、を有することを特徴とする計測機器である。
【発明の効果】
【０００８】
以上説明したように本発明によれば、規制部材を有しているので、電線がアンテナと所定距離以上離れて配索されるため、電線によってアンテナの特性に及ぼす影響を抑えることができる。したがって、計測機器の無線性能の低下を防止し、さらに無線性能のばらつきを少なくすることができる。
【図面の簡単な説明】
【０００９】
【図１】本発明の一実施形態にかかるガスメータの正面図である。
【図２】図１に示されたプリント基板及びカバー部材の正面図及び側面図である。
【図３】図１に示されたカバー部材のみの正面図及び側面図である。
【図４】図２に示された規制部の拡大図である。
【発明を実施するための形態】
【００１０】
以下、本発明の一実施形態を図面に基づいて説明する。図１は、本発明の一実施形態にかかる計測機器としてのガスメータの正面図である。なお、以下の実施形態では、計測機器としてガスメータで説明するが、水道メータ等他の計測機器であってもよい。
【００１１】
ガスメータ１は、図１に示すように、ケース２と、図示しない前ケースと、プリント基板３と、カバー部材４と、遮断弁５と、圧力センサ６と、を備えている。
【００１２】
ケース２は、矩形板状の底面部と、該底面部の周縁から立設した周壁部と、を備えており、器状に形成されている。また、底面部の内側の面及び周壁部の内側の面には、ガスメータ１を構成するプリント基板３、カバー部材４、遮断弁５、圧力センサ６等の各種構成部品や上述した前ケースなどを取り付けるためのボスや係合爪、リブなどの固定手段が設けられている。即ち、ケース２はガスメータ１の筐体を構成する。
【００１３】
また、ケース２は、円筒状のガス流入口２１及びガス流出口２２が周壁部の１つの面からそれぞれに突出するように形成されている。ガス流入口２１は上流側のガス配管に接続されてガスをガスメータ１内部のガス流路に流入させ、ガス流出口２２は下流側のガス配管に接続されてガスを前記したガス流路から流出させる。
【００１４】
前ケースは、ケース２の底面部と略同形の正面部と、該正面部の周縁から立設した周壁部と、を備えており、ケース２と同様に器状に形成されている。また、前ケースは、後述するＬＣＤ３４に表示される内容を視認できるように正面部のＬＣＤ３４と対応する位置に窓部が開口している。なお、前ケースは器状ではなく蓋状であってもよい。そして、ケース２と前ケースとは、それぞれの周壁部の先端部分が互いに重ねられて箱状となる。
【００１５】
プリント基板３は、図１や図２に示したように、合成樹脂製の基板に薄膜状の導体からなる配線パターンが設けられた周知の印刷配線板であり、ケース２に収容される。プリント基板３は、垂直アンテナ３１、水平アンテナ３２、コネクタ３３、ＬＣＤ３４等の電子部品が実装（配置）されている。
【００１６】
垂直アンテナ３１、水平アンテナ３２は、ともに電波を放射するアンテナである。垂直アンテナ３１、水平アンテナ３２は、プリント基板３等に実装されたメモリ等に記憶されている検針情報等が所定の電子回路で変調され、変調された電気信号を電波としてガスメータ１の外部へ放射して無線通信を行う。コネクタ３３はハーネス７（図２及び図４を参照）が接続される。ＬＣＤ３４は検針情報等が表示される液晶ディスプレイである。
【００１７】
ここで、垂直アンテナ３１、水平アンテナ３２、ＬＣＤ３４は、プリント基板３の表側（前ケースと相対する側）に実装され、コネクタ３３は、プリント基板３の裏側（カバー部材４と相対する側）に実装されている。
【００１８】
カバー部材４は、図３に示したように、ＡＢＳ樹脂等で略板状に形成されている。カバー部材４は、図１や図２に示したようにプリント基板３が重ねられる。そして、カバー部材４は、プリント基板３とともに遮断弁５を覆うようにケース２にネジ等で固定される。また、カバー部材４は、プリント基板３と重ねられた際にコネクタ３３と重なる位置は切欠けられており、コネクタ３３と干渉しないようになっている。
【００１９】
カバー部材４は、プリント基板３が重ねられた際に垂直アンテナ３１及びコネクタ３３の近傍となる縁部（図２に示した正面視で縁にあたる部分）に規制部材としての規制部４１が形成されている（図２〜図４を参照）。即ち、規制部４１は、カバー部材４の縁部のうち、カバー部材４にプリント基板３が重ねられた際に垂直アンテナ３１と対応する位置に設けられている。規制部４１は、カバー部材４の縁部から突出するように形成されている。
【００２０】
規制部４１は、図２及び図３に示したように、カバー部材４の縁部から突出して設けられる平板状の本体部４１ａと、本体部４１ａから立設されるリブ４１ｂと、を備えている。本体部４１ａは、プリント基板３から離れた位置、つまり、垂直アンテナ３１から所定以上離れた位置に設けられている。
【００２１】
リブ４１ｂは、コネクタ３３に近い方から順に第１リブ４１ｂ１、第２リブ４１ｂ２、第３リブ４１ｂ３の３つから構成される（図３及び図４を参照）。第１リブ４１ｂ１は、第２リブ４１ｂ２、第３リブ４１ｂ３よりも本体部４１ａからの高さが低くなっている。このリブ４１ｂにより、ハーネス７が垂直アンテナ３１近傍であるプリント基板３に沿う経路（図４矢印Ａ）を通るのを邪魔する板として機能し、ハーネス７が垂直アンテナ３１の近傍に配索されるのを規制する。なお、リブの数は３つに限らず、１以上あればよい。
【００２２】
また、規制部４１は、本体部４１ａの第１リブ４１ｂ１からコネクタ３３寄りの先端部が、突起部４１ａ１として機能する。この突起部４１ａ１により、コネクタ３３に接続されたハーネス７は、一旦垂直アンテナ３１から離れる方向、つまり、図４の矢印Ｂで示した方向に向けられる。即ち、突起部４１ａ１は、ハーネス７の向きを特定の方向に規制している。また、突起部４１ａ１は、コネクタ３３へハーネス７側のコネクタを挿入する際に邪魔にならない位置に設けられている。つまり、本体部４１ａは、コネクタ３３よりもプリント基板３の表側から離れた位置に形成されている。
【００２３】
この規制部４１によって、図２及び図４に示したように、ハーネス７は、規制部４１の本体部４１ａよりもプリント基板３から離れた位置を通ることとなり、垂直アンテナ３１から所定以上離れて配索される。したがって、ハーネス７は、プリント基板３の縁部に沿って配索されないように位置が規制される。
【００２４】
遮断弁５は、ケース２に収容されている。遮断弁５は、ガスメータ１内部のガス流路に設けられており、例えば異常発生時に当該ガス流路を遮断する。遮断弁５としては、例えばソレノイド弁、モータ弁又はボールバルブを用いることができる。
【００２５】
圧力センサ６は、ケース２に収容されている。圧力センサ６は、例えば筐体内を流れる燃料ガスの圧力を自己の設置個所における圧力との差圧を利用してガス圧力を検出する。このようにして検出されたガス圧力に基づいて微少漏洩等の判断を行うことができる。
【００２６】
ハーネス７は、両端部にコネクタを備え、一方の端部がプリント基板３のコネクタ３３に接続され、他方の端部が例えば遮断弁５に接続される。即ち、ハーネス７は、筐体に収容されている部品同士を電気的に接続する電線として機能する。
【００２７】
以下に、上記ガスメータ１の組立方法の一例について説明する。なお、以下では上述した部材のみの組立について説明する。まず、遮断弁５及び圧力センサ６をケース２に収容して固定する。そして、ハーネス７の他方の端部を遮断弁５に接続する。そして、カバー部材４にプリント基板３を重ねた状態でケース２に固定する。そして、ハーネス７の一方の端部をプリント基板３のコネクタ３３に接続する。この際に、ハーネス７のコネクタ３３からの向きが図４の矢印Ｂの方向を向くようにして、規制部４１の本体部４１ａの外周をハーネス７が通るように配索して、プリント基板３の縁部に沿って配索されないようにする。このように配索されると、以後ハーネス７は突起部４１ａ１及びリブ４１ｂにより図２及び図４に記載したような配線状態が保持される。そして、前ケースをケース２に重ねて固定してガスメータ１が組み上がる。
【００２８】
本実施形態によれば、ガスメータ１は、ケース２と、ケース２に収容され、外部と無線通信をする垂直アンテナ３１が設けられているプリント基板３と、筐体に収容されている遮断弁５とプリント基板３とを電気的に接続するハーネス７と、ハーネス７が垂直アンテナ３１と所定以上離れて配線されるようハーネス７の筐体内における位置を規制する規制部４１と、を有している。このようにすることにより、規制部４１により、ハーネス７が垂直アンテナ３１と所定距離以上離れて配索されるため、ハーネス７によって垂直アンテナ３１の特性に及ぼす影響を抑えることができる。したがって、ガスメータ１の無線性能の低下を防止し、さらに無線性能のばらつきを少なくすることができる。
【００２９】
また、規制部４１を設けることにより、輸送時に振動や衝撃を受けても、ハーネス７の位置を保持して、ハーネス７が垂直アンテナ３１に接近することを防止することができる。
【００３０】
また、ガスメータ１は、アンテナ３１を配置した基板３と、その基板３が重ねられて当該基板３とともにケース２に固定されるカバー部材４と、を備え、規制部４１は、前記カバー部材４と一体的に構成されている。このようにすることにより、規制部４１による部品点数の増加を防止して、コストアップを抑えることができる。
【００３１】
また、規制部４１は、カバー部材４の縁部のうち、カバー部材４にプリント基板が重ねられた際に垂直アンテナ３１と対応する位置に設けられているので、垂直アンテナ３１の近傍を避けてハーネス７を配索することができる。したがって、垂直アンテナ３１に近づかない方向に規制することが容易となる。
【００３２】
また、規制部４１は、ハーネス７の向きを特定の方向に規制する突起４１ａが設けられているので、コネクタ３３に接続されたハーネス７の向きを垂直アンテナから離れる方向（矢印Ｂの方向）へ自然に向けるとともに、コネクタ３３への挿入時の指の干渉を避けて作業性を向上させることができる。
【００３３】
また、規制部４１は、プリント基板３の電子部品が配置される面と垂直な方向に延在するリブ４１ｂが設けられているので、ハーネス７がプリント基板３に沿う位置に位置付けられないように規制することができる。
【００３４】
なお、上述した実施形態では、規制部４１は、カバー部材４と一体的に構成されていたが、例えば規制部４１の部分のみを独立した部品として、プリント基板３或いはカバー部材４の縁部に接着等により固定するようにしてもよい。また、プリント基板３やカバー部材４ではなく、ケース２に規制部４１に相当する部品を一体形成または接着するようにしてもよい。
【００３５】
また、上述した実施形態では、垂直アンテナ３１の近傍にあるコネクタ３３に接続されるハーネス７の配索を規制するために規制部４１を設けたが、水平アンテナ３２も同様にしてもよい。つまり、カバー部材４の水平アンテナ３２に対応する位置に規制部４１に相当する部位を形成して、水平アンテナ３２の近傍へのハーネス７等の配索を規制するようにしてもよい。
【００３６】
また、本発明は上記実施形態に限定されるものではない。即ち、当業者は、従来公知の知見に従い、本発明の骨子を逸脱しない範囲で種々変形して実施することができる。かかる変形によってもなお本発明の計測機器の構成を具備する限り、勿論、本発明の範疇に含まれるものである。
【符号の説明】
【００３７】
１            ガスメータ（計測機器）
２            ケース（筐体）
３            プリント基板（基板）
４            カバー部材（固定部材）
４１          規制部（規制部材）
４１ａ        本体部
４１ａ１      突起部（突起部）
４１ｂ        リブ
５            遮断弁（部品）
６            圧力センサ（部品）
７            ハーネス（電線）
【図１】
2019215706.tif 000003
【図２】
2019215706.tif 000004
【図３】
2019215706.tif 000005
【図４】
2019215706.tif 000006